(57)【特許請求の範囲】
【請求項１】
ＩＤ入力欄を含む認証画面が表示される表示部と、
前記認証画面を前記表示部に表示させる表示制御部と、
前記認証画面は、複数の表示言語別にそれぞれ用意されており、前記複数の表示言語別の前記認証画面の画面データを予め記憶する画面データ記憶部と、
ユーザーが前記複数の表示言語の中から選択した表示言語と、前記ユーザーのＩＤとを対応付けたデータを、複数のユーザーのそれぞれについて集めたユーザーデータを予め記憶するユーザーデータ記憶部と、
前記ＩＤ入力欄に文字を入力するための文字入力部と、
前記認証画面が前記表示部に表示された状態で、前記文字入力部によって、予め定められた数の文字が前記ＩＤ入力欄に入力される毎に、前記ＩＤ入力欄に順番に入力された文字を先頭から順番に含む前記ＩＤを、前記ユーザーデータから検索する検索部と、
前記検索の結果、得られた前記ＩＤを候補ＩＤとし、前記候補ＩＤのユーザーが選択した前記表示言語が全て同じか否かを判定する表示言語判定部と、
前記候補ＩＤのユーザーが選択した前記表示言語が全て同じであると判定された場合、前記候補ＩＤのユーザーが選択した前記表示言語を第１の表示言語とし、前記表示部に表示されている前記認証画面の表示言語が、前記第１の表示言語と一致するか否かを判定する一致判定部と、を備え、
前記表示制御部は、前記表示部に表示されている前記認証画面の表示言語が、前記第１の表示言語と一致すると判定されない場合、前記表示部に表示されている表示言語の前記認証画面に替えて、前記第１の表示言語の前記認証画面の画面データを、前記画面データ記憶部から読み出して、前記第１の表示言語の前記認証画面を前記表示部に表示させ、
前記表示言語判定部によって、前記候補ＩＤのユーザーが選択した前記表示言語が全て同じであると判定されない場合、前記候補ＩＤのユーザーが選択した前記表示言語のうち、前記候補ＩＤのユーザー数が一番多い表示言語を第２の表示言語とし、
前記一致判定部は、前記表示部に表示されている前記認証画面の表示言語が、前記第２の表示言語と一致するか否かを判定し、
前記表示制御部は、前記表示部に表示されている前記認証画面の表示言語が、前記第２の表示言語と一致すると判定されない場合、前記表示部に表示されている表示言語の前記認証画面に替えて、前記第２の表示言語の前記認証画面の画面データを、前記画面データ記憶部から読み出して、前記第２の表示言語の前記認証画面を前記表示部に表示させ、
前記ＩＤ入力欄に入力された前記ＩＤを確定する操作を受け付ける受付部を更に備え、
前記第２の表示言語の前記認証画面が前記表示部に表示されている状態で、前記ＩＤ入力欄に入力された前記ＩＤが確定されていない場合において、前記文字入力部によって、さらに前記予め定められた数の文字が前記ＩＤ入力欄に入力されたとき、前記検索部による前記検索の処理に戻る表示装置。
【請求項２】
表示言語確定ボタンと、
前記ＩＤ入力欄に入力された前記ＩＤを確定する操作がされる前であり、前記認証画面が前記表示部に表示されている状態で、前記表示言語確定ボタンが押下されると、表示中の前記認証画面の表示言語を、前記認証画面の表示言語として確定し、前記検索部に検索を中止させる表示言語確定部と、を備える請求項１に記載の表示装置。
【請求項３】
前記認証画面は、パスワード入力欄を含み、
前記検索部は、前記文字入力部によって前記パスワード入力欄にパスワードが入力される前に、前記検索をする請求項１に記載の表示装置。
【請求項４】
前記検索部は、前記ＩＤ入力欄に前記ＩＤを構成する全ての文字の入力が完了する前に、前記表示言語判定部によって、前記候補ＩＤのユーザーが選択した前記表示言語が全て同じであると判定されることにより、前記第１の表示言語が特定された場合、前記ＩＤを構成する残りの文字について、前記予め定められた数の文字が前記ＩＤ入力欄に入力される毎に、前記検索することを中止する請求項１に記載の表示装置。
【請求項５】
前記表示制御部は、前記表示部に表示されている前記認証画面の表示言語が、前記第１の表示言語と一致すると判定された場合、前記表示部に表示されている前記認証画面の表示言語を切り替えない制御をする請求項１に記載の表示装置。
【請求項６】
前記表示制御部は、前記表示部に表示されている前記認証画面の表示言語が、前記第２の表示言語と一致すると判定された場合、前記表示部に表示されている前記認証画面の表示言語を切り替えない制御をする請求項１に記載の表示装置。
【請求項７】
前記表示制御部は、前記認証画面の表示言語で表示されたユーザーへの通知事項を含む前記認証画面を、前記表示部に表示させる請求項１に記載の表示装置。
【請求項８】
画像形成装置であって、
請求項１に記載の表示装置により構成される操作部と、
前記ＩＤ入力欄に入力された前記ユーザーのＩＤから前記ユーザーが前記画像形成装置を利用できるユーザーであるかの認証をし、前記画像形成装置を利用できるユーザーと認証すれば、前記画像形成装置の利用を許可し、前記画像形成装置を利用できるユーザーと認証できなければ、前記画像形成装置の利用を許可しないユーザー認証部と、を備える画像形成装置。
【発明の詳細な説明】
【技術分野】
【０００１】
本発明は、画面の表示言語を切り替えることができる表示装置、及び、これを備える画像形成装置に関する。
【背景技術】
【０００２】
異なる使用言語を有するユーザーが画像形成装置を利用する状況を考慮して、画像形成装置の操作部に表示される画面の表示言語が、複数用意されている。画面の表示言語がユーザーの使用言語でない場合に、ユーザーが自身の使用言語に設定を切り替える操作をするのは面倒である。そこで、ユーザー名が画面に入力されると、そのユーザー名に対応付けて予め登録されている言語に、画面の表示言語を切り替える技術が提案されている(例えば、特許文献１参照)。
【先行技術文献】
【特許文献】
【０００３】
【特許文献１】特開２００６−２６９７２号公報(段落００１０−００１１)
【発明の概要】
【発明が解決しようとする課題】
【０００４】
認証画面には、ＩＤ入力欄及びパスワード入力欄に加えて、ユーザーへの通知事項(例えば、「ＨＤＤ初期化に時間がかかる可能性があります」というような文章)が含まれていることがある。通知事項は、認証画面の表示言語で表示されるので、認証画面の表示言語を理解できない場合、通知事項を理解できないことになる。
【０００５】
ユーザーにとって、通知事項の内容を理解できないことは、不安であり、通知事項の内容をできるだけ早く知りたい。また、上述した内容の通知事項(「ＨＤＤ初期化に時間がかかる可能性があります」)のように、今、ログインしても、画像形成装置を使用できるまでに時間がかかり、後からログインしたほうがよい場合もある。
【０００６】
上記技術によれば、ユーザー名を認証画面に入力し終えるまで、認証画面の表示言語が切り替わらない。このため、ユーザー名を認証画面に入力し終えるまで、通知事項を理解できないことになる。
【０００７】
本発明は、認証画面の表示言語を、できるだけ早くユーザーの使用言語に切り替えることが可能な表示装置を提供することを目的とする。
【課題を解決するための手段】
【０００８】
上記目的を達成する本発明に係る表示装置は、ＩＤ入力欄を含む認証画面が表示される表示部と、前記認証画面を前記表示部に表示させる表示制御部と、前記認証画面は、複数の表示言語別にそれぞれ用意されており、前記複数の表示言語別の前記認証画面の画面データを予め記憶する画面データ記憶部と、ユーザーが前記複数の表示言語の中から選択した表示言語と、前記ユーザーのＩＤとを対応付けたデータを、複数のユーザーのそれぞれについて集めたユーザーデータを予め記憶するユーザーデータ記憶部と、前記ＩＤ入力欄に文字を入力するための文字入力部と、前記認証画面が前記表示部に表示された状態で、前記文字入力部によって、予め定められた数の文字が前記ＩＤ入力欄に入力される毎に、前記ＩＤ入力欄に順番に入力された文字を先頭から順番に含む前記ＩＤを、前記ユーザーデータから検索する検索部と、前記検索の結果、得られた前記ＩＤを候補ＩＤとし、前記候補ＩＤのユーザーが選択した前記表示言語が全て同じか否かを判定する表示言語判定部と、前記候補ＩＤのユーザーが選択した前記表示言語が全て同じであると判定された場合、前記候補ＩＤのユーザーが選択した前記表示言語を第１の表示言語とし、前記表示部に表示されている前記認証画面の表示言語が、前記第１の表示言語と一致するか否かを判定する一致判定部と、を備え、前記表示制御部は、前記表示部に表示されている前記認証画面の表示言語が、前記第１の表示言語と一致すると判定されない場合、前記表示部に表示されている表示言語の前記認証画面に替えて、前記第１の表示言語の前記認証画面の画面データを、前記画面データ記憶部から読み出して、前記第１の表示言語の前記認証画面を前記表示部に表示させ、前記表示言語判定部によって、前記候補ＩＤのユーザーが選択した前記表示言語が全て同じであると判定されない場合、前記候補ＩＤのユーザーが選択した前記表示言語のうち、前記候補ＩＤのユーザー数が一番多い表示言語を第２の表示言語とし、前記一致判定部は、前記表示部に表示されている前記認証画面の表示言語が、前記第２の表示言語と一致するか否かを判定し、前記表示制御部は、前記表示部に表示されている前記認証画面の表示言語が、前記第２の表示言語と一致すると判定されない場合、前記表示部に表示されている表示言語の前記認証画面に替えて、前記第２の表示言語の前記認証画面の画面データを、前記画面データ記憶部から読み出して、前記第２の表示言語の前記認証画面を前記表示部に表示させ、前記ＩＤ入力欄に入力された前記ＩＤを確定する操作を受け付ける受付部を更に備え、前記第２の表示言語の前記認証画面が前記表示部に表示されている状態で、前記ＩＤ入力欄に入力された前記ＩＤが確定されていない場合において、前記文字入力部によって、さらに前記予め定められた数の文字が前記ＩＤ入力欄に入力されたとき、前記検索部による前記検索の処理に戻る表示装置である。
【０００９】
本発明に係る表示装置では、複数の表示言語のいずれかを表示言語とする認証画面が表示された状態で、予め定められた数の文字がＩＤ入力欄に入力される毎に、ＩＤ入力欄に順番に入力された文字を先頭から順番に含むＩＤを、ユーザーデータから検索する。検索の結果、得られたＩＤを候補ＩＤとし、候補ＩＤのユーザーが選択した表示言語が全て同じである場合、候補ＩＤのユーザーが選択した表示言語を第１の表示言語とする。そして、表示中の認証画面の表示言語が第１の表示言語と一致しない場合、表示中の認証画面に替えて、第１の表示言語の認証画面を表示させる。
【００１０】
以上のように、本発明に係る表示装置によれば、ＩＤ入力欄にＩＤの入力が完了する前でも、認証画面の表示言語をユーザーが選択した表示言語の認証画面に切り替えることができる。従って、認証画面の表示言語を、できるだけ早く、ユーザーが選択した表示言語、すなわち、ユーザーの使用言語に切り替えることが可能となる。
【発明の効果】
【００１１】
本発明によれば、認証画面の表示言語を、できるだけ早くユーザーの使用言語に切り替えることができる。
【図面の簡単な説明】
【００１２】
【図１】本実施形態に係る表示装置を備える画像形成装置の内部構造の概略を説明する説明図である。
【図２】図１に示す画像形成装置の構成を示すブロック図である。
【図３】認証画面の具体例を示す図である。
【図４】ユーザーデータの具体例を示す表である。
【図５】本実施形態に係る表示装置の動作を説明するフローチャートその１である。
【図６】本実施形態に係る表示装置の動作を説明するフローチャートその２である。
【図７】認証画面の遷移を説明する第１の説明図である。
【図８】認証画面の遷移を説明する第２の説明図である。
【図９】認証画面の遷移を説明する第３の説明図である。
【図１０】認証画面の遷移を説明する第４の説明図である。
【図１１】認証画面の遷移を説明する第５の説明図である。
【図１２】認証画面の遷移を説明する第６の説明図である。
【図１３】本実施形態の変形例において、表示部に表示される認証画面の具体例を示す図である。
【図１４】本実施形態の変形例を備える画像形成装置の構成を示すブロック図である。
【発明を実施するための形態】
【００１３】
以下、図面に基づいて本発明の実施形態を詳細に説明する。図１は、本発明の一実施形態に係る表示装置を備える画像形成装置１の内部構造の概略を説明する説明図である。画像形成装置１は、例えば、コピー、プリンター、スキャナー及びファクシミリの機能を有するデジタル複合機に適用することができる。画像形成装置１は、装置本体１００、装置本体１００の上に配置された原稿読取部２００、原稿読取部２００の上に配置された原稿給送部３００及び装置本体１００の上部前面に配置された操作部４００を備える。
【００１４】
原稿給送部３００は、自動原稿送り装置として機能し、原稿載置部３０１に置かれた複数枚の原稿を連続的に原稿読取部２００で読み取ることができるように送ることができる。
【００１５】
原稿読取部２００は、露光ランプ等を搭載したキャリッジ２０１、ガラス等の透明部材により構成された原稿台２０３、不図示のＣＣＤ(Charge Coupled Device)センサー及び原稿読取スリット２０５を備える。原稿台２０３に載置された原稿を読み取る場合、キャリッジ２０１を原稿台２０３の長手方向に移動させながらＣＣＤセンサーにより原稿を読み取る。これに対して、原稿給送部３００から給送された原稿を読み取る場合、キャリッジ２０１を原稿読取スリット２０５と対向する位置に移動させて、原稿給送部３００から送られてきた原稿を、原稿読取スリット２０５を通してＣＣＤセンサーにより読み取る。ＣＣＤセンサーは読み取った原稿を画像データとして出力する。
【００１６】
装置本体１００は、用紙貯留部１０１、画像形成部１０３及び定着部１０５を備える。用紙貯留部１０１は、装置本体１００の最下部に配置されており、用紙の束を貯留することができる用紙トレイ１０７を備える。用紙トレイ１０７に貯留された用紙の束において、最上位の用紙がピックアップローラー１０９の駆動により、用紙搬送路１１１へ向けて送出される。用紙は、用紙搬送路１１１を通って、画像形成部１０３へ搬送される。
【００１７】
画像形成部１０３は、搬送されてきた用紙にトナー像を形成する。画像形成部１０３は、感光体ドラム１１３、露光部１１５、現像部１１７及び転写部１１９を備える。露光部１１５は、画像データ(原稿読取部２００から出力された画像データ、パソコンから送信された画像データ、ファクシミリ受信の画像データ等)に対応して変調された光を生成し、一様に帯電された感光体ドラム１１３の周面に照射する。これにより、感光体ドラム１１３の周面には、画像データに対応する静電潜像が形成される。この状態で感光体ドラム１１３の周面に現像部１１７からトナーを供給することにより、周面には画像データに対応するトナー像が形成される。このトナー像は、転写部１１９によって先ほど説明した用紙貯留部１０１から搬送されてきた用紙に転写される。
【００１８】
トナー像が転写された用紙は、定着部１０５に送られる。定着部１０５において、トナー像と用紙に熱と圧力が加えられて、トナー像は用紙に定着される。用紙はスタックトレイ１２１又は排紙トレイ１２３に排紙される。
【００１９】
操作部４００は、操作キー部４０１と表示部４０３を備える。表示部４０３は、タッチパネル機能を有しており、ソフトキーを含む画面が表示される。ユーザーは、画面を見ながらソフトキーを操作することによって、コピー等の機能の実行に必要な設定等をする。
【００２０】
操作キー部４０１には、ハードキーからなる操作キーが設けられている。具体的には、スタートキー４０５、テンキー４０７、ストップキー４０９、リセットキー４１１、コピー、プリンター、スキャナー及びファクシミリを切り換えるための機能切換キー４１３等が設けられている。
【００２１】
スタートキー４０５は、コピー、ファクシミリ送信等の動作を開始させるキーである。テンキー４０７は、コピー部数、ファクシミリ番号等の数字を入力するキーである。ストップキー４０９は、コピー動作等を途中で中止させるキーである。リセットキー４１１は、設定された内容を初期設定状態に戻すキーである。
【００２２】
機能切換キー４１３は、コピーキー及び送信キー等を備えており、コピー機能、送信機能等を相互に切り替えるキーである。コピーキーを操作すれば、コピーの初期画面が表示部４０３に表示される。送信キーを操作すれば、ファクシミリ送信及びメール送信の初期画面が表示部４０３に表示される。
【００２３】
図２は、図１に示す画像形成装置１の構成を示すブロック図である。画像形成装置１は、装置本体１００、原稿読取部２００、原稿給送部３００、操作部４００、制御部５００及び通信部６００がバスによって相互に接続された構成を有する。装置本体１００、原稿読取部２００、原稿給送部３００及び操作部４００に関しては既に説明したので、説明を省略する。
【００２４】
制御部５００は、ＣＰＵ(Central Processing Unit)、ＲＯＭ(Read Only Memory)、ＲＡＭ(Random Access Memory)及び画像メモリー等を備える。ＣＰＵは、画像形成装置１を動作させるために必要な制御を、装置本体１００等の画像形成装置１の上記構成要素に対して実行する。ＲＯＭは、画像形成装置１の動作の制御に必要なソフトウェアを記憶している。ＲＡＭは、ソフトウェアの実行時に発生するデータの一時的な記憶及びアプリケーションソフトの記憶等に利用される。画像メモリーは、画像データ(原稿読取部２００から出力された画像データ、パソコンから送信された画像データ、ファクシミリ受信の画像データ等)を一時的に記憶する。
【００２５】
通信部６００は、ファクシミリ通信部６０１及びネットワークＩ／Ｆ部６０３を備える。ファクシミリ通信部６０１は、相手先ファクシミリとの電話回線の接続を制御するＮＣＵ(Network Control Unit)及びファクシミリ通信用の信号を変復調する変復調回路を備える。ファクシミリ通信部６０１は、電話回線６０５に接続される。
【００２６】
ネットワークＩ／Ｆ部６０３は、ＬＡＮ(Local Area Network)６０７に接続される。ネットワークＩ／Ｆ部６０３は、ＬＡＮ６０７に接続されたパソコン等の端末装置との間で通信を実行するための通信インターフェイス回路である。
【００２７】
本実施形態に係る表示装置２について説明する。図２を参照して、表示装置２は、操作部４００及び制御部５００を備える。制御部５００は、機能ブロックとして、ユーザー認証部５０１、画面データ記憶部５０３、ユーザーデータ記憶部５０５、検索部５０７、表示言語判定部５０９、一致判定部５１１、表示制御部５１３、及び、受付部５１５を備える。
【００２８】
ユーザー認証部５０１は、表示部４０３に表示された認証画面に、ユーザーＩＤ及びパスワードが入力されると、ユーザーＩＤ及びパスワードからそのユーザーが画像形成装置１を利用できるユーザーであるかの認証をする。ユーザー認証部５０１は、画像形成装置１を利用できるユーザーと認証すれば、画像形成装置１の利用を許可し、画像形成装置１を利用できるユーザーと認証できなければ、画像形成装置１の利用を許可しない。
【００２９】
認証画面について説明する。図３は、認証画面３ａの具体例を示す図である。本実施形態では、ここで説明する認証画面３ａの他に、後で説明する認証画面３ｂ，３ｃ，３ｄ，３ｅ，３ｆ，３ｇ，３ｈがある。これらの認証画面３ａ〜３ｈを区別する必要がなければ、認証画面３と記載する。
【００３０】
認証画面３ａには、文字列５ａ，５ｂ，５ｃ，５ｄ，５ｅ、ＩＤ入力欄７、及び、パスワード入力欄９が含まれる。文字列５ａ〜５ｅを区別する必要がなければ、文字列５と記載する。
【００３１】
文字列５ａは、「認証画面」の文字列、文字列５ｂは、「ＩＤ」の文字列、文字列５ｃは、パスワードの文字列、文字列５ｄは、「お知らせ」の文字列、文字列５ｅは、「ＨＤＤ初期化に時間がかかる可能性があります」の文字列である。認証画面３ａの表示言語は、日本語である。従って、これらの文字列５を構成する文字は、日本語である。このように、認証画面３の表示言語で表示されたユーザーへの通知事項(文字列５ｄ、文字列５ｅ)を含む認証画面３が、表示制御部５１３によって表示部４０３に表示させられる。
【００３２】
表示言語が日本語以外の言語、例えば、表示言語が英語であれば、文字列５を構成する文字は、英語である。表示言語が韓国語であれば、文字列５を構成する文字は、韓国語である。表示言語が中国語であれば、文字列５を構成する文字は、中国語である。
【００３３】
ＩＤ入力欄７には、ユーザーのＩＤが入力される。パスワード入力欄９には、そのユーザーのパスワードが入力される。図２に示す操作キー部４０１を用いて、それらの入力がされる。操作キー部４０１は、ＩＤ入力欄７及びパスワード入力欄９に文字を入力するための文字入力部として機能する。
【００３４】
認証画面３は、複数の表示言語別にそれぞれ用意されている。画面データ記憶部５０３は、複数の表示言語別の認証画面３の画面データを予め記憶する。例えば、表示言語が、日本語、英語、中国語、韓国語であれば、日本語の認証画面３の画面データ、英語の認証画面３の画面データ、中国語の認証画面３の画面データ、及び、韓国語の認証画面３の画面データが、画面データ記憶部５０３に予め記憶されている。
【００３５】
ユーザーデータ記憶部５０５には、ユーザーデータＤが予め記憶されている。図４は、ユーザーデータＤの具体例を示す表である。ユーザーデータＤは、ユーザーが複数の表示言語の中から選択した表示言語と、ユーザーのＩＤとを対応付けたデータを、複数のユーザーのそれぞれについて集めたデータである。
【００３６】
図４において、ユーザーのＩＤが、ローマ字の小文字で表された「fujimoto」、及び、複数の表示言語のうち、そのユーザーが選択した表示言語である「日本語」が具体的に示されている。他のユーザーのＩＤと表示言語については、記載が省略されている。
【００３７】
検索部５０７は、認証画面３が表示部４０３に表示された状態で、操作キー部４０１によって、予め定められた数の文字がＩＤ入力欄７に入力されると、ＩＤ入力欄７に順番に入力された文字を先頭から順番に含むＩＤを、図４に示すユーザーデータＤから検索する。ＩＤ入力欄７に順番に入力された文字を先頭から順番に含むＩＤとは、言い換えれば、ＩＤ入力欄７に先頭に入力された文字からこれまでに入力された文字によって構成される文字列を含むＩＤである。本実施形態では、予め定められた数の文字が、二文字の場合で説明するが、予め定められた数の文字は、一文字でもよいし、三文字以上でもよい。検索部５０７は、ＩＤ入力欄７にＩＤが入力される過程で、操作キー部４０１によって、ＩＤ入力欄７に二文字入力される毎に、その検索を実行する。
【００３８】
ＩＤが「fujimoto」を例にして具体的に説明する。ＩＤ入力欄７に「fu」が入力されると、先頭から順番に「fu」を含むＩＤをユーザーデータＤから検索する。従って、ＩＤ「fujimoto」に加えて、例えば、ＩＤ「fu×××」、ＩＤ「fu○○○○」、ＩＤ「fu△△」、ＩＤ「fu□□□」が検索結果として得られる。
【００３９】
「fu」に続けて、さらに、ＩＤ入力欄７に「ji」が入力されると、先頭から順番に「fuji」を含むＩＤをユーザーデータＤから検索する。ＩＤ「fujimoto」に加えて、例えば、ＩＤ「fuji××」、ＩＤ「fuji○○○」、ＩＤ「fuji□□」が検索結果として得られる。
【００４０】
「ji」に続けて、さらに、ＩＤ入力欄７に「mo」が入力されると、先頭から順番に「fujimo」を含むＩＤをユーザーデータＤから検索する。ＩＤ「fujimoto」に加えて、例えば、ＩＤ「fujimo×」が検索結果として得られる。
【００４１】
「mo」に続けて、さらに、ＩＤ入力欄７に「to」が入力されると、先頭から順番に「fujimoto」を含むＩＤをユーザーデータＤから検索する。ＩＤ「fujimoto」が検索結果として得られる。
【００４２】
予め定められた数の文字がＩＤ入力欄７に入力される毎に、検索の結果、得られたＩＤを候補ＩＤとする。表示言語判定部５０９は、候補ＩＤのユーザーが選択した表示言語が全て同じか否かを判定する。
【００４３】
具体的に説明する。検索の結果、ＩＤ「fujimoto」、ＩＤ「fu×××」、ＩＤ「fu○○○○」、ＩＤ「fu△△」、ＩＤ「fu□□□」が得られたとする。これらのＩＤが候補ＩＤである。表示言語判定部５０９は、これらの候補ＩＤのユーザーが選択した表示言語が全て同じか否かを、図４に示すユーザーデータＤを参照して判定する。
【００４４】
候補ＩＤのユーザーが選択した表示言語が全て同じであると判定された場合、候補ＩＤのユーザーが選択した表示言語を第１の表示言語とする。
【００４５】
例えば、候補ＩＤのユーザーが選択した表示言語が、全て日本語の場合、日本語を第１の表示言語とする。
【００４６】
これに対して、候補ＩＤのユーザーが選択した表示言語が全て同じであると判定されない場合、候補ＩＤのユーザーが選択した表示言語のうち、候補ＩＤのユーザー数が一番多い表示言語を第２の表示言語とする。
【００４７】
例えば、候補ＩＤのユーザーの数が７人とする。候補ＩＤのユーザーが選択した表示言語のうち、中国語を選択したユーザーが５人、日本語を選択したユーザーが２人であれば、中国語を第２の表示言語とする。
【００４８】
一致判定部５１１は、表示部４０３に表示されている認証画面３の表示言語が、第１の表示言語と一致するか否かを判定する。
【００４９】
例えば、日本語を第１の表示言語とする。表示部４０３に表示されている認証画面３の表示言語が、日本語と一致するか否かを判定する。
【００５０】
表示制御部５１３は、認証画面３を表示部４０３に表示する。
【００５１】
表示制御部５１３は、表示部４０３に表示されている認証画面３の表示言語が、第１の表示言語と一致すると判定された場合、表示部４０３に表示されている表示言語の認証画面３の表示を継続する。
【００５２】
例えば、表示制御部５１３は、表示部４０３に表示されている認証画面３の表示言語が日本語であり、第１の表示言語が日本語の場合、表示部４０３に表示されている表示言語の認証画面３の表示を継続する。
【００５３】
表示制御部５１３は、表示部４０３に表示されている認証画面３の表示言語が、第１の表示言語と一致すると判定されない場合、表示部４０３に表示されている表示言語の認証画面３に替えて、第１の表示言語の認証画面３の画面データを、画面データ記憶部５０３から読み出して、第１の表示言語の認証画面３を表示部４０３に表示させる。
【００５４】
例えば、表示制御部５１３は、表示部４０３に表示されている認証画面３の表示言語が韓国語であり、第１の表示言語が日本語の場合、韓国語の認証画面３に替えて、日本語の認証画面３を表示部４０３に表示させる。
【００５５】
一致判定部５１１は、表示部４０３に表示されている認証画面３の表示言語が、第２の表示言語と一致するか否かを判定する。
【００５６】
例えば、中国語を第２の表示言語とする。表示部４０３に表示されている認証画面３の表示言語が、中国語と一致するか否かを判定する。
【００５７】
表示制御部５１３は、表示部４０３に表示されている認証画面３の表示言語が、第２の表示言語と一致すると判定された場合、表示部４０３に表示されている表示言語の認証画面３の表示を継続する。
【００５８】
例えば、表示制御部５１３は、表示部４０３に表示されている認証画面３の表示言語が中国語であり、第２の表示言語が中国語の場合、表示部４０３に表示されている表示言語の認証画面３の表示を継続する。
【００５９】
表示制御部５１３は、表示部４０３に表示されている認証画面３の表示言語が、第２の表示言語と一致すると判定されない場合、表示部４０３に表示されている表示言語の認証画面３に替えて、第２の表示言語の認証画面３の画面データを、画面データ記憶部５０３から読み出して、第２の表示言語の認証画面３を表示部４０３に表示させる。
【００６０】
例えば、表示制御部５１３は、表示部４０３に表示されている認証画面３の表示言語が韓国語であり、第２の表示言語が中国語の場合、韓国語の認証画面３に替えて、中国語の認証画面３を表示部４０３に表示させる。
【００６１】
受付部５１５は、ＩＤ入力欄７に入力されたＩＤを確定する操作を受け付ける。ユーザーは、ＩＤ入力欄７にＩＤの入力が完了すると、図１に示す操作キー部４０１に設けられたエンターキー４０１ａを押下する。これにより、受付部５１５は、ＩＤ入力欄７に入力されたＩＤを確定する操作を受け付ける。そして、受付部５１５は、パスワード入力欄９にパスワードが入力可能な状態に移行させる。
【００６２】
第２の表示言語の認証画面３が表示部４０３に表示されている状態で、ＩＤ入力欄７に入力されたＩＤが確定された場合、表示制御部５１３は、第２の表示言語の認証画面３と、候補ＩＤのユーザーが選択した第２の表示言語以外の表示言語の認証画面３と、を順番に切り替えて繰り返し表示させる。
【００６３】
例えば、候補ＩＤのユーザーの数が７人であり、中国語を選択したユーザーが５人、日本語を選択したユーザーが２人なので、第２の表示言語が中国語である。中国語の認証画面３が表示部４０３に表示されている状態で、ＩＤ入力欄７に入力されたＩＤが確定された場合、表示制御部５１３は、中国語の認証画面３と日本語の認証画面３とを順番に切り替えて、繰り返し表示させる。
【００６４】
次に、本実施形態に係る表示装置２の動作について説明をする。図５及び図６は、この動作を説明するフローチャートである。図７〜図１２は、それぞれ、表示部４０３に表示される認証画面３ｂ，３ｃ，３ｄ，３ｅ，３ｆ，３ｇを示している。これらの認証画面３ｂ〜３ｇは、図３に示す認証画面３ａと同じ構成であり、文字列５ａ，５ｂ，５ｃ，５ｄ，５ｅ、ＩＤ入力欄７、及び、パスワード入力欄９が含まれる。
【００６５】
図７を参照して、表示制御部５１３は、ＩＤ入力欄７及びパスワード入力欄９が空欄である認証画面３ｂを表示部４０３に表示させている(ステップＳ１)。認証画面３ｂの表示言語は、例えば、韓国語とする。図７において、文字は日本語で表記されているが、実際は、図の左上に記載されている表示言語の言語にて表記されているものとする。従って、認証画面３ｂの文字列５を構成する文字は、日本語でなく、韓国語である。後で説明する図８、図１０及び図１１も同様であり、文字は日本語で表記されているが、実際は、図の左上に記載されている表示言語の言語にて表記されているものとする。例えば、図１０の認証画面３ｅの文字列５を構成する文字は、日本語でなく、中国語である。
【００６６】
ユーザーは、図２に示す操作キー部４０１(文字入力部)を操作して、自己のＩＤをＩＤ入力欄７に入力する。これを、ユーザーＩＤがローマ字の小文字で表された「fujimoto」を例に説明する。ユーザーは、最初にローマ字「ｆ」を入力する(ステップＳ２)。
【００６７】
検索部５０７は、ＩＤ入力欄７に入力されている文字が二文字に到達した否かを判断する(ステップＳ３)。検索部５０７は、ＩＤ入力欄７に入力されている文字が二文字に到達しないと判断するので(ステップＳ３でＮｏ)、すなわち、一文字の場合、ステップＳ２に戻る。
【００６８】
図８を参照して、ユーザーは、次に、ローマ字「ｕ」を入力する(ステップＳ２)。認証画面３ｃの表示言語は、韓国語のままである。検索部５０７は、ＩＤ入力欄７に入力されている文字が二文字に到達した否かを判断する(ステップＳ３)。検索部５０７は、ＩＤ入力欄７に入力されている文字が二文字に到達していると判断するので(ステップＳ３でＹｅｓ)、検索を実行する(ステップＳ４)。
【００６９】
検索部５０７は、ＩＤ入力欄７に順番に入力された文字を先頭から順番に含むＩＤを、ユーザーデータＤから検索する。ここでは、先頭から順番に「fu」を含むＩＤを、図４に示すユーザーデータＤから検索する。
【００７０】
表示言語判定部５０９は、ステップＳ４の検索の結果、得られたＩＤを候補ＩＤとし、候補ＩＤのユーザーが複数か否かを、図４に示すユーザーデータＤを参照して判断する(ステップＳ５)。
【００７１】
ユーザーデータＤが、ＩＤ「fujimoto」の他に、例えば、ＩＤ「fu×××」、ＩＤ「fu○○○○」、ＩＤ「fu△△」、ＩＤ「fu□□□」を含むとする。ＩＤ「fujimoto」、ＩＤ「fu×××」、ＩＤ「fu○○○○」、ＩＤ「fu△△」、ＩＤ「fu□□□」が検索結果として得られる。この場合、候補ＩＤのユーザーが複数となる。
【００７２】
ユーザーデータＤが、ＩＤ「fujimoto」の他に、先頭から順番に「fu」を含むＩＤを含まないとする。ＩＤ「fujimoto」のみが検索結果として得られる。この場合、候補ＩＤのユーザーが複数でなく、一人となる。
【００７３】
表示言語判定部５０９が、候補ＩＤのユーザーが複数であると判断した場合(ステップＳ５でＹｅｓ)、表示言語判定部５０９は、候補ＩＤのユーザーが選択した表示言語が全て同じか否かを、図４に示すユーザーデータＤを参照して判定する(ステップＳ６)。
【００７４】
検索の結果、上述したように、ＩＤ「fujimoto」、ＩＤ「fu×××」、ＩＤ「fu○○○○」、ＩＤ「fu△△」、ＩＤ「fu□□□」が得られたとする。表示言語判定部５０９は、これらの候補ＩＤのユーザーが選択した表示言語が全て同じか否かを、ユーザーデータＤを参照して判定する。
【００７５】
表示言語判定部５０９が、候補ＩＤのユーザーが選択した表示言語が全て同じであると判定した場合(ステップＳ６でＹｅｓ)、候補ＩＤのユーザーが選択した表示言語を第１の表示言語とする(ステップＳ７)。候補ＩＤのユーザーが選択した表示言語が、例えば、全て日本語の場合、日本語を第１の表示言語とする。
【００７６】
第１の表示言語は、ユーザーの使用言語なので、以降、検索部５０７による検索(ステップＳ４)は実行されない。すなわち、検索部５０７は、ＩＤ入力欄７にＩＤを構成する全ての文字の入力が完了する前に(ステップＳ１２)、表示言語判定部５０９によって、候補ＩＤのユーザーが選択した表示言語が全て同じであると判定されることにより(ステップＳ６でＹｅｓ)、第１の表示言語が特定された場合(ステップＳ７)、ＩＤを構成する残りの文字について、予め定められた数の文字がＩＤ入力欄７に入力される毎に、検索することを中止する。これにより、無駄な検索をなくすことができる。
【００７７】
なお、ステップＳ５において、表示言語判定部５０９が、候補ＩＤのユーザーが複数であると判断しない場合(ステップＳ５でＮｏ)、すなわち、候補ＩＤのユーザーが一人の場合、そのユーザーが選択した表示言語が第１の表示言語となる。
【００７８】
第１の表示言語以外に、認証画面３の表示言語となる候補がないので、表示言語判定部５０９は、第１の表示言語を認証画面の表示言語と確定する(ステップＳ８)。
【００７９】
一致判定部５１１は、図８に示す認証画面３ｃの表示言語が、第１の表示言語と一致するか否かを判定する(ステップＳ９)。例えば、日本語を第１の表示言語とする。図８に示す認証画面３ｃの表示言語が、日本語と一致するか否かを判定する。
【００８０】
図８に示す認証画面３の表示言語は韓国語なので、日本語(第１の表示言語)と一致すると判定されない(ステップＳ９でＮｏ)。表示制御部５１３は、表示部４０３に表示されている表示言語の認証画面３ｃに替えて、図９を参照して、日本語(第１の表示言語)の認証画面３ｄの画面データを、画面データ記憶部５０３から読み出して、表示部４０３に表示させる(ステップＳ１０)。
【００８１】
なお、表示制御部５１３は、図８に示す認証画面３ｃの表示言語が、第１の表示言語と一致すると判定された場合(ステップＳ９でＹｅｓ)、表示部４０３に表示されている表示言語の認証画面３ｃの表示を継続する(ステップＳ１１)。言い換えれば、表示制御部５１３は、表示部４０３に表示されている認証画面３ｃの表示言語が、第１の表示言語と一致すると判定された場合、表示部４０３に表示されている認証画面３ｃの表示言語を切り替えない制御をする。
【００８２】
ユーザーは、操作キー部４０１を操作して、図９に示す日本語の認証画面３ｄのＩＤ入力欄７に、残りの文字「jimoto」を入力する。そして、ユーザーが図２に示すエンターキー４０１ａを押下することにより、受付部５１５は、ＩＤ入力が完了したと判断し(ステップＳ１２)、パスワード入力欄９に文字が入力可能な状態に移行する。
【００８３】
ステップＳ６において、表示言語判定部５０９が、候補ＩＤのユーザーが選択した表示言語が全て同じであると判定しない場合(ステップＳ６でＮｏ)、候補ＩＤのユーザーが選択した表示言語のうち、候補ＩＤのユーザー数が一番多い表示言語を第２の表示言語とする(ステップＳ１３)。この時点では、図８に示す韓国語の認証画面３ｃが表示部４０３に表示されている。表示言語を一つに特定できないので、第２の表示言語は暫定的な表示言語である。
【００８４】
例えば、候補ＩＤのユーザーの数が７人とする。候補ＩＤのユーザーが選択した表示言語のうち、中国語を選択したユーザーが５人、日本語を選択したユーザーが２人であれば、中国語を第２の表示言語とする。
【００８５】
一致判定部５１１は、図８に示す認証画面３ｃの表示言語が、第２の表示言語と一致するか否かを判定する(ステップＳ１４)。
【００８６】
図８に示す認証画面３の表示言語は韓国語なので、中国語(第２の表示言語)と一致すると判定されない(ステップＳ１４でＮｏ)。表示制御部５１３は、表示部４０３に表示されている表示言語の認証画面３ｃに替えて、図１０を参照して、中国語(第２の表示言語)の認証画面３ｅの画面データを、画面データ記憶部５０３から読み出して、表示部４０３に表示させる(ステップＳ１５)。
【００８７】
なお、表示制御部５１３は、図８に示す認証画面３ｃの表示言語が、第２の表示言語と一致すると判定された場合(ステップＳ１４でＹｅｓ)、表示部４０３に表示されている表示言語の認証画面３ｃの表示を継続する(ステップＳ１６)。言い換えれば、表示制御部５１３は、表示部４０３に表示されている認証画面３ｃの表示言語が、第２の表示言語と一致すると判定された場合、表示部４０３に表示されている認証画面３ｃの表示言語を切り替えない制御をする。
【００８８】
受付部５１５は、ＩＤ入力が完了したか否かを判断する(ステップＳ１７)。すなわち、受付部５１５は、ＩＤ入力欄７にＩＤを入力しているユーザーが、図２に示すエンターキー４０１ａを入力したか否かを判断する。
【００８９】
図１０を参照して、ＩＤ入力欄７には、「fu」までしか入力されていないので(ステップＳ１７でＮｏ)、ステップＳ２に戻る。
【００９０】
図１１を参照して、「fu」に続けて、ユーザーが、図２に示す操作キー部４０１(文字入力部)を操作することにより、ＩＤ入力欄７に「j」、「i」が続けて入力されると(ステップＳ３でＹｅｓ)、検索部５０７は、先頭から順番に「fuji」を含むＩＤをユーザーデータＤから検索する(ステップＳ４)。
【００９１】
ステップＳ５を経て、ステップＳ６において、表示言語判定部５０９が、候補ＩＤのユーザーが選択した表示言語が全て同じであると判定した場合(ステップＳ６でＹｅｓ)、既に説明したステップＳ７以降の処理がされる。
【００９２】
これに対して、ステップＳ６において、表示言語判定部５０９が、候補ＩＤのユーザーが選択した表示言語が全て同じであると判定しない場合(ステップＳ６でＮｏ)、候補ＩＤのユーザーが選択した表示言語のうち、候補ＩＤのユーザー数が一番多い表示言語を第２の表示言語とする(ステップＳ１３)。
【００９３】
例えば、候補ＩＤのユーザーの数が７人から３人に減り、日本語を選択したユーザーが２人、中国語を選択したユーザーが１人であれば、日本語を第２の表示言語とする。この時点では、図１１に示す中国語の認証画面３ｆが表示部４０３に表示されている。
【００９４】
一致判定部５１１は、図１１に示す認証画面３ｆの表示言語が、第２の表示言語と一致するか否かを判定する(ステップＳ１４)。
【００９５】
図１１に示す認証画面３ｆの表示言語は中国語なので、日本語(第２の表示言語)と一致すると判定されない(ステップＳ１４でＮｏ)。表示制御部５１３は、表示部４０３に表示されている表示言語の認証画面３ｆに替えて、図１２を参照して、日本語(第２の表示言語)の認証画面３ｇの画面データを、画面データ記憶部５０３から読み出して、表示部４０３に表示させる(ステップＳ１５)。
【００９６】
受付部５１５は、ＩＤ入力が完了したか否かを判断する(ステップＳ１７)。
【００９７】
図１２を参照して、ＩＤ入力欄７には、「fuji」までしか入力されていないので(ステップＳ１７でＮｏ)、ステップＳ２に戻る。その後は、既に説明したステップＳ２以降の処理がされる。
【００９８】
ユーザーがＩＤ入力欄７にＩＤの入力を完了し、エンターキー４０１ａを押下する。これにより、受付部５１５は、ＩＤ入力が完了したと判断する(ステップＳ１７でＹｅｓ)。この場合、ＩＤが「fujimoto」のユーザーが二人以上存在し、これらのユーザーが選択した表示言語が共通でなく、二つ以上の状態となる。なぜならば、上述したように、表示言語判定部５０９が、候補ＩＤのユーザーが選択した表示言語が全て同じであると判定しない場合(ステップＳ６でＮｏ)、候補ＩＤのユーザーが選択した表示言語のうち、候補ＩＤのユーザー数が一番多い表示言語を第２の表示言語とするからである(ステップＳ１３)。
【００９９】
ステップＳ６のＮｏにおいて、候補ＩＤのユーザーが選択した表示言語が、例えば、中国語及び日本語とする。この場合、表示制御部５１３は、中国語の認証画面３、日本語の認証画面３を順番に切り替えて、繰り返し表示部４０３に表示させる(ステップＳ１８)。
【０１００】
ここで、第２の表示言語の認証画面３から第１の表示言語の認証画面３に切り替わる処理について、簡単に説明する。検索部５０７は、ＩＤ入力欄７にＩＤを構成する全ての文字の入力が完了する前において(ステップＳ１７でＮｏ)、表示制御部５１３によって、第２の表示言語の認証画面３が表示部４０３に表示されている場合(ステップＳ１５，Ｓ１６)、ＩＤを構成する残りの文字について、予め定められた数の文字がＩＤ入力欄７に入力される毎に、検索することを続行する(ステップＳ２，Ｓ３，Ｓ４)。
【０１０１】
表示言語判定部５０９は、第２の表示言語の認証画面３が表示部４０３に表示された状態において、候補ＩＤのユーザーが選択した表示言語が全て同じであると判定した場合(ステップＳ６でＹｅｓ)、候補ＩＤのユーザーが選択した表示言語を第１の表示言語とする(ステップＳ７)。
【０１０２】
表示制御部５１３は、第２の表示言語が、第１の表示言語と一致すると判定されない場合(ステップＳ９でＮｏ)、表示部４０３に表示されている第２の表示言語の認証画面３に替えて、第１の表示言語の認証画面３の画面データを、画面データ記憶部５０３から読み出して、第１の表示言語の認証画面３を表示部４０３に表示させる(ステップＳ１０)。
【０１０３】
このように、認証画面３の表示言語について、暫定的な表示言語である第２の表示言語から、ユーザーの使用言語である第１の表示言語に切り替えることができる。
【０１０４】
本実施形態の主な効果を説明する。本実施形態では、複数の表示言語のいずれかを表示言語とする認証画面３が表示された状態で、予め定められた数の文字(二文字)がＩＤ入力欄７に入力される毎に、ＩＤ入力欄７に順番に入力された文字を先頭から順番に含むＩＤを、ユーザーデータＤから検索する(ステップＳ４)。検索の結果、得られたＩＤを候補ＩＤとし、候補ＩＤのユーザーが選択した表示言語が全て同じである場合(ステップＳ６でＹｅｓ)、候補ＩＤのユーザーが選択した表示言語を第１の表示言語とする(ステップＳ７)。そして、表示中の認証画面３の表示言語が第１の表示言語と一致しない場合(ステップＳ９でＮｏ)、表示中の認証画面３に替えて、第１の表示言語の認証画面３を表示させる。
【０１０５】
以上のように、本実施形態によれば、ＩＤ入力欄７にＩＤの入力が完了する前でも、認証画面３の表示言語をユーザーが選択した表示言語の認証画面３に切り替えることができる。従って、認証画面３の表示言語を、できるだけ早く、ユーザーが選択した表示言語、すなわち、ユーザーの使用言語に切り替えることが可能となる。
【０１０６】
また、本実施形態によれば、候補ＩＤのユーザーが選択した表示言語が全て同じでない場合(ステップＳ６でＮｏ)、すなわち、候補ＩＤのユーザーが選択した表示言語が二種類以上の場合、候補ＩＤのユーザーが選択した表示言語のうち、候補ＩＤのユーザー数が一番多い表示言語を第２の表示言語とする(ステップＳ１３)。そして、表示中の認証画面３の表示言語が第２の表示言語と一致しない場合(ステップＳ１４でＮｏ)、表示中の認証画面３に替えて、第２の表示言語の認証画面３を表示させる(ステップＳ１５)。
【０１０７】
第２の表示言語は、候補ＩＤのユーザー数が一番多いので、ＩＤをＩＤ入力欄７に入力しているユーザーが選択した表示言語の可能性が高い。よって、本実施形態によれば、ＩＤ入力欄７にＩＤの入力が完了する前でも、認証画面３の表示言語をユーザーが選択した表示言語の可能性が高い表示言語に切り替えることができる。
【０１０８】
本実施形態において、第２の表示言語の認証画面３が表示されている状態(ステップＳ１３，Ｓ１４，Ｓ１５，Ｓ１６)は、ＩＤを入力しているユーザーが選択している表示言語を一つに確定できず、二種類以上の表示言語のいずれかがユーザーが選択した表示言語である。第２の表示言語の認証画面３が表示されている状態で、ＩＤ入力欄７にＩＤの入力が完了し、ＩＤを確定する操作がされた場合(ステップＳ１７でＹｅｓ)、ユーザーが選択した表示言語を一つに確定できなかったことになる。このような場合、第２の表示言語の認証画面３と、候補ＩＤのユーザーが選択した第２の表示言語以外の表示言語の認証画面３と、を順番に切り替えて繰り返し表示させる(ステップＳ１８)。よって、ＩＤを入力したユーザーは、認証画面３に表示された、符号５ｄ，５ｅで示される通知事項の内容を理解することができる。
【０１０９】
さらに、本実施形態において、検索部５０７は、パスワード入力欄９にパスワードが入力される前に、ステップＳ４の検索をする。これは、パスワード入力欄９が空欄であり、ＩＤ入力欄７にＩＤが入力されている段階で、検索部５０７が検索を実行することを意味する。よって、パスワード入力欄９にパスワードの入力を開始する前に、認証画面３の表示言語をユーザーが選択した表示言語に切り替えることができる。従って、認証画面３の表示言語を、できるだけ早くユーザーの使用言語に切り替えることができる。
【０１１０】
本実施形態の変形例について、図１３及び図１４を用いて説明する。図１４は、変形例に係る表示装置２２を備える画像形成装置２１の構成を示すブロック図である。画像形成装置２１が、図２に示す画像形成装置１と異なるのは、制御部５００に、さらに、表示言語確定部５１７が備えられることである。
【０１１１】
図１３は、変形例に係る表示装置２２において、図１４の表示部４０３に表示される認証画面３ｈの具体例を示す図である。認証画面３ｈが、図３に示す認証画面３ａと異なるのは、表示言語確定ボタン１１をさらに含むことである。
【０１１２】
表示言語確定部５１７は、認証画面３ｈが表示部４０３に表示されている状態で、表示言語確定ボタン１１が押下されると、表示中の認証画面３ｈの表示言語を、認証画面３の表示言語として確定し、検索部５０７の検索を中止させる。
【０１１３】
ＩＤ入力欄７に入力されたＩＤを確定する操作がされる前において、認証画面３の表示言語が、ユーザーの使用言語になっていれば、ユーザーは表示言語確定ボタン１１を押下する。これにより、認証画面３の表示言語が確定される。よって、ＩＤを構成する残りの文字がＩＤ入力欄７に入力される過程で、認証画面３の表示言語が切り替わることを防止できる。すなわち、認証画面３の表示言語が、ＩＤの入力をしているユーザーが選択した表示言語の状態で、これと異なる表示言語の認証画面３に切り替わることを防止できる。
【０１１４】
また、本実施形態ではＩＤの入力を完了してから、パスワードの入力が行えるものとしたが、これに限られず、ＩＤとパスワードを同時に入力するものでもかまわない。
【符号の説明】
【０１１５】
１，２１  画像形成装置
２，２２  表示装置
３ａ，３ｂ，３ｃ，３ｄ，３ｅ，３ｆ，３ｇ，３ｈ  認証画面
５ａ，５ｂ，５ｃ，５ｄ，５ｅ  文字列
７  ＩＤ入力欄
９  パスワード入力欄
１１  表示言語確定ボタン
４０１  操作キー部(文字入力部)
Ｄ  ユーザーデータ
【図１】
0005988523.tif 000002
【図２】
0005988523.tif 000003
【図３】
0005988523.tif 000004
【図４】
0005988523.tif 000005
【図５】
0005988523.tif 000006
【図６】
0005988523.tif 000007
【図７】
0005988523.tif 000008
【図８】
0005988523.tif 000009
【図９】
0005988523.tif 000010
【図１０】
0005988523.tif 000011
【図１１】
0005988523.tif 000012
【図１２】
0005988523.tif 000013
【図１３】
0005988523.tif 000014
【図１４】
0005988523.tif 000015